(57)【特許請求の範囲】
【請求項１】
装置本体（１）と、該装置本体（１）に可動に取り付けられた導出部（４）と、その壁部の少なくとも一部が可撓性の容器ないし袋体で構成されたポンプ部（７）とからなり、以下の▲１▼〜▲４▼の特徴を有する粉末薬剤マルチドーズ投与デバイス。
▲１▼  該装置本体（１）の内部には複数回投与操作分の粉末薬剤を貯蔵可能な貯蔵室（２）と、該貯蔵室（２）の壁面に単回投与操作分の用量をもった収容室（３）を有し、該収容室（３）の該貯蔵室（２）と反対側に空気を流通させるが粉末薬剤を流通させないフィルター（６）が装着されており、更に該フィルター（６）に続いて該ポンプ部（７）と連通するための空気流通路（１０）を設けてある。
▲２▼  該導出部（４）は、上端に噴霧口（５）を壁面に導出口（１１）を設けてあり、該噴霧口（５）と該導出口（１１）とは、内部で連通した管状構造となっており、さらに該導出部（４）は、該収容室（３）と該貯蔵室（２）が連通する位置（充填位置）と、該収容室（３）と該装置本体（１）の外部が連通する位置（投与位置）の間を移動可能で、該投与位置にて該収容室（３）内の粉末薬剤を投与できる。
▲３▼  該ポンプ部（７）は、該空気流通路（１０）を介して該装置本体（１）と連通しており、可撓性部分を押圧・弛緩する事によって該フィルター（６）を通して該収容室（３）に空気を供給・吸引する事ができる。
▲４▼  粉末薬剤を投与する際、該装置本体（１）を、該収容室（３）を下側に向けた状態（ａ）で該導出部（４）を該充填位置（ｂ）に移動（ａ→ｂ）させて該貯蔵室（２）内の粉末薬剤を該収容室（３）へと移動させると該貯蔵室（２）内が微妙に減圧となるため、該ポンプ部（７）より該収容室（３）を経て該貯蔵室（２）内に空気が流入する事により該収容室（３）内及び該貯蔵室（２）内の粉末薬剤を撹拌し、該投与位置（ｃ）に該導出部（４）を移動（ｂ→ｃ）させる際には該貯蔵室（２）内が微妙に陽圧となるため該貯蔵室（２）内より該収容室（３）を経て該ポンプ部（７）へと空気が流出する事により、該収容室（３）に粉末薬剤を単回投与操作分だけ正確に定量できる。
【請求項２】
ディスポーザブルであることを特徴とする請求項１記載の粉末薬剤マルチドーズ投与デバイス。
【請求項３】
体腔内投与用であることを特徴とする請求項１〜２のいずれかに記載の粉末薬剤マルチドーズ投与デバイス。
【発明の詳細な説明】
【０００１】
【発明の属する技術分野】
本発明は粉末体の定量供給装置及び方法、特に粉末薬剤のマルチドーズ型投与デバイスに関する。
さらに詳しくは、本発明は、容器内に貯蔵された複数回投与操作分（マルチドーズ）の粉末薬剤から微量の単回投与操作分（ユニットドーズ）の粉末薬剤が定量性良く分割されて投与される粉末薬剤マルチドーズ投与デバイスに関する。
【０００２】
本発明は、ユニットドーズの粉末薬剤が連続的に定量性良く分割されて鼻腔、口腔、気管、気管支、肺胞等の体腔内、またはその他の患部に噴霧または吸入投与するための、携帯に便利で、使用時の操作が簡便かつ比較的安価なマルチドーズ型粉末薬剤投与デバイスを提供するものである。
【０００３】
【従来の技術】
粉末状の薬剤が体腔、例えば鼻腔、口腔、気管、気管支、肺等の気道等に噴霧あるいは吸入により投与されている。例えば、鼻アレルギー、喘息の患者に粉末状の薬剤が鼻腔や気道に投与される。また、最近は鼻腔・肺等の粘膜を通して薬物を血流へ吸収させるドラッグデリバリーシステムが注目され、粉末状の薬剤をそれらの粘膜へ投与することが試みられており、例えば、鼻アレルギー、喘息、扁平苔癬、広範囲びらん性口内炎等の患者に対し、粉末状の薬剤を鼻腔内、口腔内や気道に投与する治療が実施されている。
【０００４】
このような薬剤投与においては、粉末薬剤施薬装置あるいは容器が使用されるが、このような施薬装置は粉末薬剤の収納方式から大きく二つに分類される。
【０００５】
第１の種類は単回投与操作分の量（ユニットドーズ）の粉末薬剤が一つの単位として分割されて適当な容器に収納されており、各投与操作で１ユニットドーズ毎に投与されるユニットドーズ施薬装置あるいは容器である。第２の種類は複数回の投与操作分の量（マルチドーズ）の粉末薬剤が適当な容器に集合して収納されており、単回の投与操作の度にユニットドーズの粉末薬剤が、集合して収納された容器から正確に分割されて投与されるマルチドーズ施薬装置あるいは容器である。また、前者のユニットドーズ施薬装置の一つとして単回投与操作の度に廃棄可能な簡便な装置、すなわちディスポーザブル装置を兼ねたディスポーザブル容器もある。
【０００６】
以下本発明では粉末薬剤の単回投与操作分の量をユニットドーズと、また複数回投与操作分の量をマルチドーズというが、施薬装置との関係で、ユニットドーズ毎に収容された粉末薬剤をユニットドーズ毎に投与することをユニットドーズ、マルチドーズで収納された粉末薬剤をユニットドーズ毎に投与することをマルチドーズと言うこともある。
【０００７】
粉末薬剤のユニットドーズ施薬容器の例としては、鼻腔内に噴霧投与を可能にするものとして特開昭59-34267号公報等が公知である。これらの装置では一般的に、カプセル等に収納されたユニットドーズ容器の保持部、それを穿孔する手段、および穿孔され容器から粉末薬剤を患者の鼻腔内等に噴霧するための空気流の導入手段などが備えられている。さらに、そのディスポーザブル容器の例としては、特表平2ー500172号公報がある。同公報には、微粉末薬剤が封入され、且つその頭部には該微粉末薬剤噴霧または吸入用の開口部が形成されるように構成されている保持部と、空気導入手段とからなり、該保持部の底部が、該微粉末薬剤不透過性で通気性の隔膜を介して該空気導入手段と連設せしめられている粉末薬剤施薬容器が開示されている。さらには、これを改良した粉末薬剤投与デバイスもある（WO97/04826号明細書）。
【０００８】
また、気道内に吸入される粉末薬剤のユニットドーズ吸入器としては多くの装置が提案されている。例えば硬質ゼラチン等の無毒性材質で通常形成したカプセルを用いる吸入器である。カプセルの各々には、吸入すべきユニットドーズの粉末薬剤が一定量収容される。この種の吸入器は、吸入器に挿入したカプセルに必要な時に穴を開ける、より一般的に言えば（色々な手段で）カプセルを開ける装置を備える。
使用者による吸引作用によって生ずる空気流により、カプセルに開けられた穴から収納されている粉末薬剤を吸入する。そして、空になったカプセルは、吸入器から取り出され、新たなカプセルを収容できるようにする。公知のタイプの吸入器（アメリカ特許第3906950号明細書及び同第4013075号明細書）では、カプセルは、その両端に穴が開けられると、吸入中静止した状態で保持される。吸入の結果カプセルを通過する空気流により、カプセルの内部から粉末薬剤が取り出される。
【０００９】
別のタイプの吸入器（アメリカ特許第3807400号明細書）では、適当な手段で予め開けたカプセルを、吸入によって生じる空気流の作用で移動させ、これによりカプセルをすっかり空にさせる。
【００１０】
さらに、別のタイプの公知の吸入器（ヨーロッパ特許公開第0211595号）では、複数個のカプセルを用いてはいないが、円盤状のパックが充填されるようになっており、このパックは、その周囲に近い位置で一連の気泡が互いにそしてパックの中心から等距離に設けられている。これらの気泡には、一定量の粉末薬剤が収容される。このパックは、吸入器の一部を構成し、その中心軸線を中心として、回転自在な円形トレーに乗せられる。このトレーには、個々の気泡に対する位置に穴が設けられ、個々の気泡が適当な開封装置によって破られる所定の位置に移動すると粉末薬剤が取り出されて吸入できるようになっている。
【００１１】
一方、噴霧投与可能なマルチドーズ施薬容器の例としては、国際公開特許94/26338号明細書がある。同明細書には、装置本体と、該装置本体に着脱自在に取り付けられかつ複数回投与操作分（マルチドーズ）の粉末薬剤を貯蔵可能な貯蔵室と、単回投与操作分（ユニットドーズ）の容量を持った収容室を有し充填位置にて該収容室を該貯蔵室に連通させて該収容室内の粉末薬剤を投与可能にするべく、該装置本体に可動に取り付けられた薬剤分配手段と、該分配手段を充填位置と投与位置との間で移動可能とする手段と、充填位置にて該収容室を通して前記貯蔵室へ空気を噴射して貯蔵室内の粉末薬剤を攪拌するポンプ手段とを具備し、攪拌後の一定量の粉末薬剤を前記ポンプ手段による吸引力及び/又は重力によって前記貯蔵室から前記収容室へ充填させることを特徴とする装置が開示されている。
【００１２】
また、粉末薬剤を気道内に吸入投与するマルチドーズ施薬装置の例は、（ヨーロッパ特許公開第0069715号明細書）に記載されており、一定量の薬剤を収容した容器に加えて、容器内に収容した粉末薬剤を取り出し、投薬の準備を行える装置を備える。この取り出し投薬準備装置は、所定の厚さを有し所定個の貫通孔を形成されたプレートからなる。このプレートは、貫通孔の一部が容器から取り出された粉末薬剤で機械的な手段により満たされる位置から、薬剤を満たされた穴が通路内に位置づけられるもう一つの位置に移動できる。使用者によってこの通路と連通する吸入口を介してもたらされる吸引の結果、空気が通路内に入り、貫通孔から粉末薬剤を取り出す。スクレイパー装置も設けて、プレートに形成した貫通孔内の粉末薬剤の容器の方を向いた側をならす。このヨーロッパ特許出願の発明者によれば、このスクレイパー装置により、貫通孔の完全な充填がもたらされ、従って一定の服用量を保証できる。このヨーロッパ特許公開明細書には、このスクレイパーは、オプショナルであると述べられているが、吸入器が適正な動作を行うには、必須のものであると考えられる。というのは、このスクレイパーがないと、服用量は極端に異なったものになるからである。なぜなら、使用する粉末薬剤は、流動性に乏しいので、個々の貫通孔が、粉末薬剤によって完全に満たされないということが頻繁に起こりうるからである。
【００１３】
【発明が解決しようとする課題】
上述の如く従来多くの施薬装置あるいは容器が考案されているにもかかわらずそれぞれには課題が認められる。
すなわち、特開昭59ー34267号公報等のユニットドーズ施薬装置は薬剤容器を穿孔する手段を具備する必要がある。そのために、装置がある程度大型化し、携帯に不便であるという課題がある。さらに各投与操作ごとに薬剤容器を装置に入れ、穿孔し、投与後は除去する操作が必要で煩雑であることなど、使用時の操作性に課題がある。
【００１４】
一方、国際公開特許97/04826号明細書のディスポーザブル容器では、ユニットドーズ型装置としては上記の問題点は解決されているが、複数回投与分を携帯するには容器を複数個携帯することになり、かさばってしまうという問題点がある。
【００１５】
しかし、従来の粉末薬剤マルチドーズ施薬装置には重大な課題がある。すなわち、前述の如く、多量の集合した粉末薬剤から単回の投与操作に必要な粉末薬剤量を連続的且つ定量的に分割して投与することは、集合した粉末薬剤の密度の変化、偏り等の物性の面から非常に困難である。
【００１６】
この課題に対し、これまで幾つかの提案がなされてきた。例えば前記のヨーロッパ特許に開示されている如く、所定の容量の貫通孔に連続的に粉末薬剤をスクレイパー等で押さえながら満たす方法がある。しかし、この方法によっても例えば施薬装置全体に振動が加わることによって粉末薬剤の嵩密度が変化してしまい、その結果生体内に投与される粉末薬剤量が一定しなくなるという欠点がある。
【００１７】
また、特公平1-47190号公報には多量の集合した粉末薬剤を圧縮し、その結果生じた粉末薬剤圧縮体を連続的に定量的に分割してすりはがすマルチドーズ施薬装置が開示されている。この方法では粉末薬剤を圧縮することにより分割する薬剤の定量性を確保しようとしているが、この方法においても施薬装置全体に加わる振動等の影響により粉末薬剤圧縮体の密度が変化してしまい、その結果すりはがされる粉末薬剤圧縮体の重量が変化し、生体内に投与される粉末薬剤量が一定しなくなるという欠点がある。
【００１８】
また、WO94/26338号明細書などのマルチドーズ施薬装置は、各分割操作の直前に貯蔵室内の集合した粉末薬剤に空気流を通すことにより集合した粉末薬剤を貯蔵室内空間で流動させることにより粉末薬剤の密度の変化を防ぎ、ユニットドーズの該粉末薬剤を吸引力及び／又は重力により粉末薬剤収容室に収容することにより連続的かつ定量的に単回投与操作分の粉末薬剤を分割できるが、貯蔵部、単回投与分薬剤収容室、薬剤定量分割手段、ポンプ手段等から構成されるため、かなり大型化し携帯に不便であることなどが課題として挙げられる。
【００１９】
すなわち、従来の粉末薬剤施薬装置あるいは投与デバイスでは、小型化による携帯性、操作の簡便性、操作の迅速性、操作の定量性、製造工程の簡易性、部品数の最小化、低価格等をすべて満足するものはないのが現状である。特に携帯性、簡便性を重要と考えるとき、製造工程が簡易でありかつ安価で、定量性に優れたマルチドーズ型投与器が強く望まれている。
【００２０】
また、鼻腔部の疾患を対象とする粉末薬剤投与デバイスにおいて、両方の鼻腔内に均等に粉末薬剤を噴霧可能であることが必要とされている。
【００２１】
ここで、ユニットドーズ型粉末薬剤施薬装置あるいは投与デバイスを用いて両鼻腔に均等に薬剤を噴霧投与するためには、投与デバイスを片鼻に１個ずつの計２個用いるか、投与デバイス１個で両鼻腔内に同時に薬物を投与できるように噴霧口を２カ所備えたものを用いることなどが考えられる。また、噴霧口を１箇所しか持たない粉末薬剤投与デバイスを１つだけ用いて、その内部に収容される粉末薬剤を両鼻腔内に交互に噴霧投与を行い、薬剤を両鼻腔内に均等に投与することが考えられる。携帯性、簡便性、低価格等の条件を考えると、投与デバイスを２個用いる方法や噴霧口を２カ所備えたものは好ましくなく、投与デバイスを１つだけ用いて、その内部に収容される粉末薬剤を両鼻腔内に交互に噴霧投与を行い、均等に薬剤を鼻腔内に投与することが望ましいが、そのためには、例えば右、左、左、右・・・といった順に薬剤を鼻腔内に投与することが考えられる。このとき、およそ６〜１０回の噴霧操作が必要となり、非常に煩雑である。
【００２２】
従って、１〜数回の噴霧操作で片鼻１回分の投与量が噴霧可能なマルチドーズ型粉末薬剤施薬装置あるいは投与デバイスが強く望まれている。
【００２３】
【課題を解決するための手段】
以上に説明した従来技術における問題点、並びに課題に鑑み、本発明は次のようなマルチドーズ型粉末薬剤投与デバイスを提供することにある。
即ち、本発明の目的は、携帯性、操作の簡便性・迅速性、製造工程の簡易性、部品数の最小化・低価格化等の経済性、及び/又は定量噴霧性を備えたマルチドーズ型粉末薬剤投与デバイスを提供することである。
【００２４】
すなわち、装置本体（１）と、該装置本体（１）に可動に取り付けられた導出部（４）と、その壁部の少なくとも一部が可撓性の容器ないし袋体で構成されたポンプ部（７）とからなり、以下の▲１▼〜▲４▼の特徴を有する粉末薬剤マルチドーズ投与デバイス。
▲１▼  該装置本体（１）の内部には複数回投与操作分の粉末薬剤を貯蔵可能な貯蔵室（２）と、該貯蔵室（２）の壁面に単回投与操作分の用量をもった収容室（３）を有し、該収容室（３）の該貯蔵室（２）と反対側に空気を流通させるが粉末薬剤を流通させないフィルター（６）が装着されており、更に該フィルター（６）に続いて該ポンプ部（７）と連通するための空気流通路（１０）を設けてある。
▲２▼  該導出部（４）は、上端に噴霧口（５）を壁面に導出口（１１）を設けてあり、該噴霧口（５）と該導出口（１１）とは、内部で連通した管状構造となっており、さらに該導出部（１１）は、該収容室（３）と該貯蔵室（２）が連通する位置（充填位置）と、該収容室（３）と該装置本体（１）の外部が連通する位置（投与位置）の間を移動可能で、該投与位置にて該収容室（３）内の粉末薬剤を投与できる。
▲３▼  該ポンプ部（７）は、該空気流通路（１０）を介して該装置本体（１）と連通しており、可撓性部分を押圧・弛緩する事によって該フィルター（６）を通して該収容室（３）に空気を供給・吸引する事ができる。
▲４▼  粉末薬剤を投与する際、該装置本体（１）を、該収容室（３）を下側に向けた状態（ａ）で該導出部（４）を該充填位置（ｂ）に移動（ａ→ｂ）させて該貯蔵室内（２）の粉末薬剤を該収容室（３）へと移動させると該貯蔵室内（２）が微妙に減圧となるため、該ポンプ部（７）より該収容室（３）を経て該貯蔵室内（２）に空気が流入する事により該収容室内（３）及び該貯蔵室内（２）の粉末薬剤を撹拌し、該投与位置（ｃ）に該導出部（４）を移動（ｂ→ｃ）させる際には該貯蔵室内（２）が微妙に陽圧となるため該貯蔵室内（２）より該収容室（３）を経て該ポンプ部（７）へと空気が流出する事により、該収容室（３）に粉末薬剤を単回投与操作分だけ正確に定量できる。
【００２５】
【発明の実施の形態】
本発明においては、装置本体（１）は通常、ポリエチレン、ポリスチレン、ポリプロピレン、スチレン・アクリロニトリルポリマー、アクリロニトリル・ブタジエン・スチレンポリマー等のポリマーで形成されるのが好ましいが、これらによって限定されるものではない。
【００２６】
該装置本体（１）の内部空間である貯蔵室（２）の容積は、導出部（４）をスライドさせることによる圧力変化を利用して均質な充填効果を得るために、充填位置（ｂ）における容積が投与位置（ｃ）における容積の１．２倍以上となるようにすることが望ましい。
また、該装置本体（１）内部の収容室（３）の大きさは、それぞれ１回使用量の粉末薬剤の体積及び必要とされる投与可能回数に応じて適宜定めることができる。通常使用される粉末薬剤の見掛け比重が約0.1〜3.0であり、また粉末薬剤の一回の使用量が約５〜２００ mgであることを考慮すると、該収容室（３）の体積は約２〜２０００mm3である。
【００２７】
なお、該収容室（３）の一端に設けられるフィルター（６）としては、粉末薬剤を構成する薬物及び賦形剤（薬物のみの場合もある）の粒子の大きさに応じて、適宜篩い用網、メンブランフィルター等を用いることができる。
【００２８】
例えば鼻腔内噴霧用であれば目開き５〜３７μm、好ましくは５〜１０μmの篩い用網、或いは孔径５〜７５μm、好ましくは５〜２５μmのメンブランフィルターが用いられ、気道内噴霧用であれば目開き１μm以下のメンブランフィルターが用いられる。篩い用網としては、例えばナイロン、ステンレス製等のものが、メンブランフィルターとしては例えばポリプロピレン、コットン、レーヨン、グラスファイバー、焼結フィルター製等のものがあげられる。
【００２９】
本発明の導出部（４）は、該装置本体（１）と同様に、ポリエチレン、ポリスチレン、ポリプロピレン、スチレン・アクリロニトリルポリマー、アクリロニトリル・ブタジエン・スチレンポリマー等のポリマーで形成されるのが好ましいが、これらによって限定されるものではない。
【００３０】
該導出部（４）は該装置本体（１）に、可動に取り付けられ、スライドさせることによって該充填位置（ｂ）と該投与位置（ｃ）とを往復することができ、該装置本体（１）に取り付けた際、該装置本体部（１）の外部側に位置するその一端（該導出部の上端）に開口した噴霧口（５）を有し、該装置本体部（１）の内部側に位置するその他端（該導出部の壁部）には導出口（１１）を有している。
【００３１】
該導出部（４）と該装置本体（１）とは、該投与位置（ｃ）においては該収容部（３）と装置本体外部とを連通することができ、また、該充填位置（ｂ）においては該導出部（４）をスライドさせることにより、該導出口（５）と該収容室（３）の配置がずれることにより、装置本体外部と該収容室（３）とは連通しない構造となっている。
【００３２】
すなわち、該収容室は（３）、この該導出部（４）を介して、かつ該投与位置（ｃ）においてのみ装置本体の外部と連通する事ができる。
【００３３】
また、該導出部（４）は体腔内投与時に噴霧口付近部分が体液等により汚染されることがあり、衛生面からも好ましくないため、洗浄が必要となる場合がある。従って、洗浄を容易にするため、該噴霧口（５）付近部分を取り外し可能なノズルとして構成することも可能である。
【００３４】
また、本発明における噴霧口の数は、一つであることが装置の小型化の点で好ましい。しかしながら、例えば鼻腔内に粉末薬剤を噴霧投与する場合には噴霧口を一箇所とするか、又は噴霧口近傍で二股に二分させた後それぞれの末端に噴霧口を一箇所ずつ設け計二箇所とする等、目的に応じて複数箇所の噴霧口を設けることもできる。
【００３５】
該導出部（４）の該投与位置（ｃ）と該充填位置（ｂ）とを往復させるスライドは手動で行われるが、この位置決めは、クリック感、及び基体を透視して目視により確認される。
【００３６】
本発明のポンプ部（７）は、粉末薬剤を（噴霧ないし吸入）投与するのに必要な空気を押圧するための要素であるが、かかるポンプとしては可撓性材料又は壁部の少なくとも一部が可撓性材料から形成されるものが好ましい。ここで、少なくとも一部が可撓性材料からなるとは、可撓性材料からなる部分を押圧・弛緩することによって、該収容室（３）の内部に収容された粉末薬剤を噴霧、吸入可能ならしめる機能を有することを意味する。該ポンプ部（７）の全体をかかる可撓性材料で構成する場合や、あるいは例えば該ポンプ部（７）のうち該装置本体（１）との接合部付近をのぞく部分を可撓性材料で構成し、それ以外は非可撓性材料で構成する場合も含まれる。
【００３７】
そのような可撓性材料としては、例えばポリエチレン、ポリプロピレン等の弾性を有するプラスチック及び天然或いは合成ゴム等があげられる。
【００３８】
本発明のポンプ部（７）の大きさは、該ポンプ部（７）を１〜数ないし１０回押圧することによって、例えば該収容室（３）に収容されている粉末薬剤をほとんど全部排出できる程度の空気の排出量を有するものが好ましい。
【００３９】
本発明で使用する粉末薬剤は、例えば薬物、乳糖、デンプン、セルロース類、ポリビニルポリマー等従来公知の賦形剤とから構成することもできるし、或いは、薬物単独で構成することもできる。また、必要に応じて従来公知の安定剤、酸化防止剤、等の添加物を適宜加えることもできる。
【００４０】
このように本発明は、携帯に便利で、使用時の操作が簡便で、一定の分量の粉末薬剤を正確に噴霧・吸入投与可能で、且つ比較的安価なマルチドーズ型粉末薬剤投与デバイスを提供できるという優れた効果を奏するものである。
【００４１】
本発明は、特に一回の使用量が微量の粉末薬剤の複数回分の量を容器内に収納した投与デバイスとして適している。
【００４２】
【実施例】
以下、本発明を添付の図面に基づく実施例により説明するが、本発明がこれによって限定されるものではない。
【００４３】
図１は本発明の粉末薬剤マルチドーズ投与デバイスの全体構成を示す断面図である。直径4mm、深さ2.2mmの収容室（３）を有する、外直径22mmの円筒状の装置本体（１）をポリプロピレンで成型加工し製造した。また、噴霧口（５）の直径が4mm、貯蔵室（２）が直径12mm、投与位置（ｃ）においては高さが10mm、充填位置（ｂ）においては高さが18mmとなるように、外直径の最大が12mmの円筒状の導出部（４）をポリプロピレンで成型加工して製造した。次いで、該装置本体部（１）に目開き5μmのポリプロピレン製のメンブレンフィルター（６）とポリエチレン製のポンプ部（７）を取り付け、該貯蔵室（２）に粒子径が38〜150μmの粉末薬剤（９）を400mg充填し、該装置本体部（１）に該導出部（４）を挿入した後、該噴霧口（５）にポリプロピレン製の蓋（８）を被せ（装置全体としての高さは約100mm）、本発明の投与デバイスとした。
【００４４】
図２はそれぞれの部品の断面図である。
【００４５】
なお、図１の本発明の投与デバイスは、使用にあたっては、図３の（ａ）→（ｂ）→（ｃ）の順で操作する。ただし、導出部（４）が装置本体（１）に最も押し込まれており、収容室（３）に粉末薬剤が収容されていない状態を待機状態（ａ）、該導出部（４）が該装置本体（１）に最も引き出されており、貯蔵室（２）と該収容室（３）とが連通している状態を充填位置（ｂ）、該導出部（４）が該装置本体（１）に最も押し込まれており、該収容室（３）と外部とが連通しており、かつ該収容室（３）に粉末薬剤が収容されている状態を投与位置（ｃ）とする。
【００４６】
まず該装置本体（１）を該収容室（３）が下側になるようにした待機状態（ａ）にし、つづいて該導出部（４）を充填位置（ｂ）へとスライドさせることにより、該貯蔵室内（２）の粉末薬剤（９）が重力により該収容室（３）へと移動する。この時、該導出部（４）が（ａ）の状態においては該貯蔵室内（２）は密閉状態であり、該導出部（４）を充填位置（ｂ）へとスライドさせることにより該貯蔵室（２）の容積が増加し、該貯蔵室内（２）の圧力が微少に減圧となる。
【００４７】
そして、該導出部（４）を充填位置（ｂ）までスライドさせた時、該貯蔵室（２）は該収容室（３）及びポンプ部（７）と連通することとなり、微少な圧力差によって該ポンプ部（７）より空気流通路（１０）及び該収容室（３）を経て該貯蔵室（２）へと空気の流入が起こり、該収容室（３）に充填されつつある該粉末薬剤（９）がその空気流によって攪拌される。
【００４８】
次に、該導出部（４）を該充填位置（ｂ）から投与位置（ｃ）へとスライドさせることにより、該導出部（４）を該充填位置（ｂ）へとスライドさせる時とは反対に、該貯蔵室（２）より該収容室（３）及び該空気流通路（１０）を経て該ポンプ部（７）へと空気の流出が起こることにより、該粉末薬剤（９）が均一な密度で該収容室（３）に充填されると共に、該収容室（３）と該貯蔵室（２）との間が擦り切られるため、該粉末薬剤（９）は該収容室（３）へ正確に定量収容される。
【００４９】
該導出部（４）が投与位置（ｃ）の時に該ポンプ部（７）を押圧すると、既に該粉末薬剤（９）を収容している該収容室内（３）に加圧空気が該空気流通路（１０）を経てフリーに流入し、該粉末薬剤（９）は加圧空気と共に該導出部（４）を通って、該導出部（４）のノズル先端の噴霧口（５）から該装置本体外部へと噴霧され、鼻腔内等の体腔内に投与される。
【図面の簡単な説明】
【図１】図１は実施例における本発明の粉末薬剤マルチドーズ投与デバイスの構成を示す断面図である。
【図２】図２はそれぞれの部品の断面図である。図中の符号１〜１１はそれぞれ以下の内容を示している。
【図３】図３の（ａ）〜（ｃ）は、本発明の粉末薬剤マルチドーズ投与デバイスを使用する際の操作手順を示している。
【符号の説明】
１．装置本体部
２．貯蔵室
３．収容室
４．導出部
５．噴霧口
６．フィルター
７．ポンプ部
８．蓋
９．粉末薬剤
１０．空気流通路
１１．導出口
【図１】
0003883653.tif 000002
【図２】
0003883653.tif 000003
【図３】
0003883653.tif 000004